(57)【特許請求の範囲】
【請求項１】
複数の測定項目について動物の検体を検査する複数の検査端末装置と、
検査結果に関する情報を収集して演算する中央装置と
がデータ通信することが可能に接続された動物検査情報提供システムであって、
前記検査端末装置は、
前記検体を提供した動物種又は動物の品種を示す属性情報を受け付ける属性情報受付手段と、
検体を測定して各測定項目について物性値情報を取得する物性値情報取得手段と、
該物性値情報取得手段で取得した前記物性値情報を前記属性情報と対応付けて前記中央装置へ送信する物性値情報送信手段と
を備え、
前記中央装置は、
複数の前記検査端末装置から前記属性情報と対応付けられた前記物性値情報を受信する物性値情報受信手段と、
該物性値情報受信手段で受信した前記物性値情報及び前記属性情報を記憶する物性値情報記憶手段と、
該物性値情報記憶手段で記憶された複数の前記物性値情報に基づいて、受信した前記物性値情報が正常であるか否かを判断するための基準情報を各測定項目について前記属性情報ごとに算出する基準情報算出手段と、
前記検査端末装置により前記基準情報が要求された場合に、前記基準情報を含む結果判断に関する情報を、前記基準情報を要求した前記検査端末装置に送信する判断情報送信手段と
を備え、
前記検査端末装置は、
前記基準情報を含む結果判断に関する情報を前記中央装置から受信する基準情報受信手段と、
受信した前記基準情報を含む結果判断に関する情報に基づいて、検体の検査結果に関する情報として、前記基準情報と前記物性値情報とを視覚的に対比することが可能に表示する表示手段と
を備えることを特徴とする動物検査情報提供システム。
【請求項２】
前記検査端末装置は、
測定された物性値情報を補正する補正情報を受け付ける補正情報受付手段と、
受け付けた補正情報に基づいて物性値情報を補正する物性値情報補正手段と
をさらに備え、
前記物性値情報送信手段にて送信される前記物性値情報は、前記補正情報により補正された物性値情報であり、
前記物性値情報送信手段は、補正された物性値情報を前記補正情報及び前記属性情報と対応付けて前記中央装置へ送信し、
前記物性値情報受信手段は、前記属性情報と対応付けられた前記補正情報及び補正された物性値情報を受信し、
前記中央装置は、前記補正情報に基づいて、前記物性値情報受信手段にて受信した物性値情報から補正前の原物性値情報を算出する原物性値情報算出手段をさらに備え、
前記基準情報算出手段は、算出された前記原物性値情報に基づいて前記基準情報を算出することを特徴とする請求項１に記載の動物検査情報提供システム。
【請求項３】
前記中央装置は、
前記補正情報に基づいて前記基準情報を補正する基準情報補正手段をさらに備え、
前記判断情報送信手段にて送信される前記基準情報は、前記基準情報補正手段で補正された基準情報であることを特徴とする請求項２に記載の動物検査情報提供システム。
【請求項４】
前記表示手段は、受信した前記基準情報を含む結果判断に関する情報に基づいて、検査結果に関する情報をグラフィカルに表示するようにしてあることを特徴とする請求項１乃至３のいずれか一項に記載の動物検査情報提供システム。
【請求項５】
前記中央装置は、
前記基準情報に基づく疾患判断条件情報と、想定される疾患を示す疾患情報とを対応付けて記憶する疾患情報記憶手段と、
受信した前記物性値情報に基づいて、前記疾患判断条件情報に合致するか否かを判断する疾患情報判断手段と、
該疾患情報判断手段で合致すると判断された場合、合致した疾患判断条件情報に対応する疾患情報を抽出する疾患情報抽出手段と、
該疾患情報抽出手段で抽出された疾患情報を前記検査端末装置に送信する疾患情報送信手段と
を備えることを特徴とする請求項１乃至４のいずれか一項に記載の動物検査情報提供システム。
【請求項６】
前記中央装置は、
前記基準情報に基づく処置判断条件情報と、処置方法を示す処置情報とを対応付けて記憶する処置情報記憶手段と、
受信した前記物性値情報に基づいて、前記処置判断条件情報に合致するか否かを判断する処置情報判断手段と、
該処置情報判断手段で合致すると判断された場合、合致した処置判断条件情報に対応する処置情報を抽出する処置情報抽出手段と、
該処置情報抽出手段で抽出された処置情報を前記検査端末装置に送信する処置情報送信手段と
を備えることを特徴とする請求項１乃至５のいずれか一項に記載の動物検査情報提供システム。
【請求項７】
複数の測定項目について動物の検体を検査する複数の検査端末装置とデータ通信することが可能に接続されており、検査結果に関する情報を収集して演算する中央装置であって、
複数の前記検査端末装置から、前記検体を提供した動物種又は動物の品種を示す属性情報と対応付けられた、検体を測定して各測定項目について取得された物性値情報を受信する物性値情報受信手段と、
該物性値情報受信手段で受信した前記物性値情報及び前記属性情報を記憶する物性値情報記憶手段と、
該物性値情報記憶手段で記憶された複数の前記物性値情報に基づいて、受信した前記物性値情報が正常であるか否かを判断するための基準情報を各測定項目について前記属性情報ごとに算出する基準情報算出手段と、
前記検査端末装置により前記基準情報が要求された場合に、前記基準情報を含む結果判断に関する情報を、前記基準情報を要求した前記検査端末装置に送信する判断情報送信手段と
を備えることを特徴とする中央装置。
【請求項８】
複数の測定項目について動物の検体を検査する複数の検査端末装置と、
検査結果に関する情報を収集して演算する中央装置と
がデータ通信することが可能に接続されており、動物の検体を検査した検査結果を集約して検査結果の判断に必要となる情報を提供する動物検査情報提供方法であって、
前記検査端末装置は、
前記検体を提供した動物種又は動物の品種を示す属性情報を受け付け、
検体を測定して各測定項目について物性値情報を取得し、
取得した前記物性値情報を前記属性情報と対応付けて前記中央装置へ送信し、
前記中央装置は、
複数の前記検査端末装置から前記属性情報と対応付けられた前記物性値情報を受信し、
受信した前記物性値情報及び前記属性情報を記憶し、
記憶された複数の前記物性値情報に基づいて、受信した前記物性値情報が正常であるか否かを判断するための基準情報を各測定項目について前記属性情報ごとに算出し、
前記検査端末装置により前記基準情報が要求された場合に、前記基準情報を含む結果判断に関する情報を、前記基準情報を要求した前記検査端末装置に送信し、
前記検査端末装置は、
前記基準情報を含む結果判断に関する情報を前記中央装置から受信し、
受信した前記基準情報を含む結果判断に関する情報に基づいて、検体の検査結果に関する情報として、前記基準情報と前記物性値情報とを視覚的に対比することが可能に表示することを特徴とする動物検査情報提供方法。
【請求項９】
複数の測定項目について動物の検体を検査する複数の検査端末装置とデータ通信することが可能に接続されており、検査結果に関する情報を収集して演算する中央装置で実行することが可能なコンピュータプログラムであって、
前記中央装置を、
複数の前記検査端末装置から、前記検体を提供した動物種又は動物の品種を示す属性情報と対応付けられた、検体を測定して各測定項目について取得された物性値情報を受信する物性値情報受信手段、
該物性値情報受信手段で受信した前記物性値情報及び前記属性情報を記憶する物性値情報記憶手段、
該物性値情報記憶手段で記憶された複数の前記物性値情報に基づいて、受信した前記物性値情報が正常であるか否かを判断するための基準情報を各測定項目について前記属性情報ごとに算出する基準情報算出手段、及び
前記検査端末装置により前記基準情報が要求された場合に、前記基準情報を含む結果判断に関する情報を、前記基準情報を要求した前記検査端末装置に送信する判断情報送信手段
として機能させることを特徴とするコンピュータプログラム。
【発明の詳細な説明】
【技術分野】
【０００１】
本発明は、動物の検査において、動物の処置方法を決定するために使用される基準情報を提供することができる動物検査情報提供システム、中央装置、動物検査情報提供方法及びコンピュータプログラムに関する。
【背景技術】
【０００２】
動物病院等の動物を対象とする医療機関では、人を対象とする医療機関と同様に、各種の臨床検査を行う。動物を対象とする一部の医療機関では、動物専用の臨床検査システムを導入しているが、動物の場合、試料の成分、例えば赤血球の大きさ、濃度等が動物種によって大きく異なるため、動物種に合わせて分析条件、例えば解析プログラムの種類、測定感度、反応時間、測定試薬等を変更することが必要であった。
【０００３】
そこで例えば、動物種ごとに分析条件を変えて設定することは作業者にとって煩雑であることから、特許文献１では、検査の対象となる動物種（犬、猫、猿等）を選択し、選択された動物種に応じた分析条件で検査データを分析することにより、煩雑な操作を行うことなく動物種ごとに最適な分析条件で検査することができるようになっている。
【０００４】
また、例えば特許文献２では、動物種に応じて容易に測定モードを変更することができ、測定モード別に対応している分析条件を変更して、動物種ごとに最適な分析条件で分析結果を出力することができる分析システムが開示されている。
【特許文献１】特開２０００−３１０６４２号公報
【特許文献２】特開２００５−０３７１６２号公報
【発明の開示】
【発明が解決しようとする課題】
【０００５】
動物病院等の動物を対象とする医療機関においても、人を対象とする医療機関と同様に、分析装置で検体を分析し、得られた分析結果を、健康であるため処置の必要なし、再検査を要する、投薬の必要がある、手術の必要がある等の処置方法を決定するために使用される基準値と比較することによって処置方法を決定することが行なわれている。しかし、動物を対象とする臨床検査では、人を対象とする場合に比べて検査データの絶対数が少なく、また動物種、あるいは同一の動物種であっても品種、性別、年齢等の属性情報によって試料の成分のばらつきが大きい。したがって、処置方法を決定するために使用される基準値について客観的根拠を見出すことが困難であり、臨床検査に立ち会う医師の勘と経験とに頼って処置方法を決定せざるを得ないという問題点があった。
【０００６】
また、動物病院であまり扱わない希少動物については、基準値が信頼できるものであるか否かを判断することはより困難であった。
【０００７】
本発明は斯かる事情に鑑みてなされたものであり、検査データの少ない動物種である場合であっても、動物の処置方法を決定するために使用される基準値の信頼性を高めることができ、医師が勘と経験に頼らずに診断することを支援する情報を提供する動物検査情報提供システム、中央装置、動物検査情報提供方法及びコンピュータプログラムを提供することを目的とする。
【課題を解決するための手段】
【０００８】
上記目的を達成するために第１発明に係る動物検査情報提供システムは、複数の測定項目について動物の検体を検査する複数の検査端末装置と、検査結果に関する情報を収集して演算する中央装置とがデータ通信することが可能に接続された動物検査情報提供システムであって、前記検査端末装置は、前記検体を提供した動物種又は動物の品種を示す属性情報を受け付ける属性情報受付手段と、検体を測定して各測定項目について物性値情報を取得する物性値情報取得手段と、該物性値情報取得手段で取得した前記物性値情報を前記属性情報と対応付けて前記中央装置へ送信する物性値情報送信手段とを備え、前記中央装置は、複数の前記検査端末装置から前記属性情報と対応付けられた前記物性値情報を受信する物性値情報受信手段と、該物性値情報受信手段で受信した前記物性値情報及び前記属性情報を記憶する物性値情報記憶手段と、該物性値情報記憶手段で記憶された複数の前記物性値情報に基づいて、受信した前記物性値情報が正常であるか否かを判断するための基準情報を各測定項目について前記属性情報ごとに算出する基準情報算出手段と、前記検査端末装置により前記基準情報が要求された場合に、前記基準情報を含む結果判断に関する情報を、前記基準情報を要求した前記検査端末装置に送信する判断情報送信手段とを備え、前記検査端末装置は、前記基準情報を含む結果判断に関する情報を前記中央装置から受信する基準情報受信手段と、受信した前記基準情報を含む結果判断に関する情報に基づいて、検体の検査結果に関する情報として、前記基準情報と前記物性値情報とを視覚的に対比することが可能に表示する表示手段とを備えることを特徴とする。
【００１０】
また、第２発明に係る動物検査情報提供システムは、第１発明において、前記検査端末装置は、測定された物性値情報を補正する補正情報を受け付ける補正情報受付手段と、受け付けた補正情報に基づいて物性値情報を補正する物性値情報補正手段とをさらに備え、前記物性値情報送信手段にて送信される前記物性値情報は、前記補正情報により補正された物性値情報であり、前記物性値情報送信手段は、補正された物性値情報を前記補正情報及び前記属性情報と対応付けて前記中央装置へ送信し、前記物性値情報受信手段は、前記属性情報と対応付けられた前記補正情報及び補正された物性値情報を受信し、前記中央装置は、前記補正情報に基づいて、前記物性値情報受信手段にて受信した物性値情報から補正前の原物性値情報を算出する原物性値情報算出手段をさらに備え、前記基準情報算出手段は、算出された前記原物性値情報に基づいて前記基準情報を算出することを特徴とする。
【００１１】
また、第３発明に係る動物検査情報提供システムは、第２発明において、前記中央装置は、前記補正情報に基づいて前記基準情報を補正する基準情報補正手段をさらに備え、前記判断情報送信手段にて送信される前記基準情報は、前記基準情報補正手段で補正された基準情報であることを特徴とする。
【００１２】
また、第４発明に係る動物検査情報提供システムは、第１乃至第３発明のいずれか１つにおいて、前記表示手段は、受信した前記基準情報を含む結果判断に関する情報に基づいて、検査結果に関する情報をグラフィカルに表示するようにしてあることを特徴とする。
【００１３】
また、第５発明に係る動物検査情報提供システムは、第１乃至第４発明のいずれか１つにおいて、前記中央装置は、前記基準情報に基づく疾患判断条件情報と、想定される疾患を示す疾患情報とを対応付けて記憶する疾患情報記憶手段と、受信した前記物性値情報に基づいて、前記疾患判断条件情報に合致するか否かを判断する疾患情報判断手段と、該疾患情報判断手段で合致すると判断された場合、合致した疾患判断条件情報に対応する疾患情報を抽出する疾患情報抽出手段と、該疾患情報抽出手段で抽出された疾患情報を前記検査端末装置に送信する疾患情報送信手段とを備えることを特徴とする。
【００１４】
また、第６発明に係る動物検査情報提供システムは、第１乃至第５発明のいずれか１つにおいて、前記中央装置は、前記基準情報に基づく処置判断条件情報と、処置方法を示す処置情報とを対応付けて記憶する処置情報記憶手段と、受信した前記物性値情報に基づいて、前記処置判断条件情報に合致するか否かを判断する処置情報判断手段と、該処置情報判断手段で合致すると判断された場合、合致した処置判断条件情報に対応する処置情報を抽出する処置情報抽出手段と、該処置情報抽出手段で抽出された処置情報を前記検査端末装置に送信する処置情報送信手段とを備えることを特徴とする。
【００１５】
次に上記目的を達成するために第７発明に係る中央装置は、複数の測定項目について動物の検体を検査する複数の検査端末装置とデータ通信することが可能に接続されており、検査結果に関する情報を収集して演算する中央装置であって、複数の前記検査端末装置から、前記検体を提供した動物種又は動物の品種を示す属性情報と対応付けられた、検体を測定して各測定項目について取得された物性値情報を受信する物性値情報受信手段と、該物性値情報受信手段で受信した前記物性値情報及び前記属性情報を記憶する物性値情報記憶手段と、該物性値情報記憶手段で記憶された複数の前記物性値情報に基づいて、受信した前記物性値情報が正常であるか否かを判断するための基準情報を各測定項目について前記属性情報ごとに算出する基準情報算出手段と、前記検査端末装置により前記基準情報が要求された場合に、前記基準情報を含む結果判断に関する情報を、前記基準情報を要求した前記検査端末装置に送信する判断情報送信手段とを備えることを特徴とする。
【００１６】
次に上記目的を達成するために第８発明に係る動物検査情報提供方法は、複数の測定項目について動物の検体を検査する複数の検査端末装置と、検査結果に関する情報を収集して演算する中央装置とがデータ通信することが可能に接続されており、動物の検体を検査した検査結果を集約して検査結果の判断に必要となる情報を提供する動物検査情報提供方法であって、前記検査端末装置は、前記検体を提供した動物種又は動物の品種を示す属性情報を受け付け、検体を測定して各測定項目について物性値情報を取得し、取得した前記物性値情報を前記属性情報と対応付けて前記中央装置へ送信し、前記中央装置は、複数の前記検査端末装置から前記属性情報と対応付けられた前記物性値情報を受信し、受信した前記物性値情報及び前記属性情報を記憶し、記憶された複数の前記物性値情報に基づいて、受信した前記物性値情報が正常であるか否かを判断するための基準情報を各測定項目について前記属性情報ごとに算出し、前記検査端末装置により前記基準情報が要求された場合に、前記基準情報を含む結果判断に関する情報を、前記基準情報を要求した前記検査端末装置に送信し、前記検査端末装置は、前記基準情報を含む結果判断に関する情報を前記中央装置から受信し、受信した前記基準情報を含む結果判断に関する情報に基づいて、検体の検査結果に関する情報として、前記基準情報と前記物性値情報とを視覚的に対比することが可能に表示することを特徴とする。
【００１７】
次に上記目的を達成するために第９発明に係るコンピュータプログラムは、複数の測定項目について動物の検体を検査する複数の検査端末装置とデータ通信することが可能に接続されており、検査結果に関する情報を収集して演算する中央装置で実行することが可能なコンピュータプログラムであって、前記中央装置を、複数の前記検査端末装置から、前記検体を提供した動物種又は動物の品種を示す属性情報と対応付けられた、検体を測定して各測定項目について取得された物性値情報を受信する物性値情報受信手段、該物性値情報受信手段で受信した前記物性値情報及び前記属性情報を記憶する物性値情報記憶手段、該物性値情報記憶手段で記憶された複数の前記物性値情報に基づいて、受信した前記物性値情報が正常であるか否かを判断するための基準情報を各測定項目について前記属性情報ごとに算出する基準情報算出手段、及び前記検査端末装置により前記基準情報が要求された場合に、前記基準情報を含む結果判断に関する情報を、前記基準情報を要求した前記検査端末装置に送信する判断情報送信手段として機能させることを特徴とする。
【００１８】
第１発明、第７発明、第８発明及び第９発明では、複数の測定項目について動物の検体を検査する複数の検査端末装置と、検査結果に関する情報を収集して演算する中央装置とがデータ通信することが可能に接続されている。検査端末装置は、検体を提供した動物種又は動物の品種を示す属性情報を受け付け、検体を測定して各測定項目について物性値情報を取得し、取得した物性値情報を属性情報と対応付けて中央装置へ送信する。中央装置は、複数の検査端末装置から属性情報と対応付けられた物性値情報を受信し、受信した物性値情報及び属性情報を記憶する。記憶された複数の物性値情報に基づいて、受信した物性値情報が正常であるか否かを判断するための基準情報を各測定項目について属性情報ごとに算出し、検査端末装置により基準情報が要求された場合に、基準情報を含む結果判断に関する情報を、基準情報を要求した検査端末装置に送信する。検査端末装置は、基準情報を含む結果判断に関する情報を中央装置から受信し、受信した基準情報を含む結果判断に関する情報に基づいて、検体の検査結果に関する情報として、基準情報と物性値情報とを視覚的に対比することが可能に表示する。複数の検査端末装置から物性値情報を集約することにより、一つ一つの検査端末装置では絶対数が足りない属性情報を有する動物の物性値情報を一定量集めることができ、集められた物性値情報に基づいて、物性値情報が正常であるか否かを判断するための基準情報を各測定項目について算出することにより、より多くの物性値情報に基づいた基準情報を算出することができる。したがって、一の動物病院では十分な検査データを保有していない属性情報、あるいは未知の属性情報を有する動物であっても、医師が勘と経験とに頼ることなく、より客観的な基準情報に基づいて処置方法を決定することが可能となる。
【００１９】
ここで、「属性情報」とは、広く動物の種類を特定するための属性に関する情報を意味しており、後述する動物種、品種、年齢、性別、疾患の種類に限定されるものではない。「物性値情報」とは、検体について物理的・化学的手段により測定することが可能な物性値に関する情報を意味しており、測定値そのものだけでなく、測定値の分布に関する情報等も含む広い概念である。「基準情報」とは、測定された物性値情報に基づいて動物の処置方法を決定するために使用される境界値情報及び平均値情報等を意味しており、所定の範囲を特定するための最大値及び最小値、一定量の物性値情報が収集可能である場合、収集された物性値情報に基づいて、測定された物性値の正規分布を算出して統計的演算を行うことで求まる、物性値情報が正常であると判断すべき範囲を含む広い概念である。
【００２０】
また、「動物種」とは、例えばイヌ、ネコ等の動物の種類を意味しており、「品種」とは、イヌの中でのブルドッグ、チワワ、コリー等の種類を意味している。
【００２１】
第２発明では、測定された物性値情報を補正する補正情報も、補正された物性値情報及び属性情報とともに受信し、補正情報に基づいて、受信した物性値情報から補正前の原物性値情報を算出して、算出された原物性値情報に基づいて基準情報を算出する。これにより、検査端末装置ごとに異なる値で設定されている補正情報による数値のばらつきを是正することができ、より精度の高い基準情報を算出することが可能となる。
【００２２】
第３発明では、補正情報に基づいて基準情報を補正し、補正された基準情報を送信する。これにより、中央装置側で各検査端末装置の補正情報に合わせた補正を行った基準情報を算出することができ、各検査端末装置は、設定されている補正情報を変更することなく、通常の使用方法で測定した物性値情報を用いて動物の処置方法を決定することが可能となる。
【００２３】
第４発明では、表示手段は、受信した基準情報を含む結果判断に関する情報に基づいて、検査結果に関する情報をグラフィカルに表示する。このようにすることで、属性情報ごとに、基準情報に基づく正常範囲内に、実際に測定された物性値情報が含まれているか否かを視覚的に確認することができ、医師の診断を支援することが容易となる。
【００２４】
第５発明では、基準情報に基づく疾患判断条件情報と、想定される疾患を示す疾患情報とを対応付けて記憶しておく。受信した物性値情報に基づいて、疾患判断条件情報に合致するか否かを判断して、合致すると判断された場合、合致した疾患判断条件情報に対応する疾患情報を抽出して、抽出された疾患情報を検査端末装置に送信する。これにより、中央装置にて受信した物性値情報の基準情報との相対関係に基づいて、想定される疾患に関する疾患情報を検査端末装置で取得することが可能となる。ここで、「疾患判断条件情報」とは、物性値情報と基準情報との相対的な関係を示す情報等、受信した物性値情報が基準情報に対して大きい、小さい等の条件に関する情報を集約した情報を意味する概念である。
【００２５】
第６発明では、基準情報に基づく処置判断条件情報と、処置方法を示す処置情報とを対応付けて記憶しておく。受信した物性値情報に基づいて、処置判断条件情報に合致するか否かを判断して、合致すると判断された場合、合致した処置判断条件情報に対応する処置情報を抽出して、抽出された処置情報を検査端末装置に送信する。これにより、疾患情報だけではなく、次にどのような検査をすべきか、どのような治療をすべきか、どのような点に注意して飼育すれば良いか、等の処置方法に関する処置情報を検査端末装置で取得することができ、医師の診断を支援することが可能となる。なお、「処置方法に関する処置情報」は、上述の情報に限定されるものではなく、あらゆる処置方法に関する情報を含む広い概念である。また、「処置判断条件情報」とは、物性値情報と基準情報との相対的な関係を示す情報等、受信した物性値情報が基準情報に対して大きい、小さい等の条件に関する情報を集約した情報を意味する概念である。
【００２６】
なお、後述する実施の形態では、属性情報受付手段は、ＣＰＵ２１のステップＳ５０１の処理に、物性値情報取得手段は、ＣＰＵ２１のステップＳ５０３の処理に、物性値情報送信手段は、ＣＰＵ２１のステップＳ５０４の処理に、それぞれ該当する。また、物性値情報受信手段は、ＣＰＵ３１のステップＳ６０１の処理に、物性値情報記憶手段は、ＣＰＵ３１のステップＳ６０２の処理に、基準情報算出手段は、ＣＰＵ３１のステップＳ６０４の処理に、判断情報送信手段は、ＣＰＵ３１のステップＳ６０５の処理に、それぞれ該当する。
【００２７】
さらに、補正情報受付手段は、ＣＰＵ２１のステップＳ１２０１の処理に、物性値情報補正手段は、ＣＰＵ２１のステップＳ１２０５の処理に、それぞれ該当する。また、原物性値情報算出手段は、ＣＰＵ３１のステップＳ１３０４の処理に、基準情報補正手段は、ＣＰＵ３１のステップＳ１３０５の処理に、それぞれ該当する。
【００２８】
加えて、表示手段は、ＣＰＵ２１のステップＳ５０８の処理に、基準情報受信手段は、ＣＰＵ２１のステップＳ５０７の処理に、それぞれ該当する。また、物性値情報判断手段は、ＣＰＵ３１のステップＳ１７０６、Ｓ１８０６の処理に、疾患情報判断手段は、ＣＰＵ３１のステップＳ１７１１の処理に、疾患情報抽出手段は、ＣＰＵ３１のステップＳ１７１２の処理に、疾患情報送信手段は、ＣＰＵ３１のステップＳ１７１３の処理に、それぞれ該当する。処置情報判断手段は、ＣＰＵ３１のステップＳ１８１１の処理に、処置情報抽出手段は、ＣＰＵ３１のステップＳ１８１２の処理に、処置情報送信手段は、ＣＰＵ３１のステップＳ１８１３の処理に、それぞれ該当する。疾患情報記憶手段は、記憶装置３４の疾患情報記憶部３４２に、処置情報記憶手段は記憶装置３４の処置情報記憶部３４３に、それぞれ相当する。
【発明の効果】
【００２９】
上記構成によれば、複数の検査端末装置から物性値情報を集約することにより、一つ一つの検査端末装置では絶対数が足りない属性情報を有する動物の物性値情報を一定量集めることができ、集められた物性値情報に基づいて、物性値情報が正常であるか否かを判断するための基準情報を各測定項目について算出することにより、より多くの物性値情報に基づいた基準情報を算出することができる。したがって、一の動物病院では十分な検査データを保有していない属性情報、あるいは未知の属性情報を有する動物であっても、医師が勘と経験とに頼ることなく、より客観的な基準情報に基づいて動物の処置方法を決定することが可能となる。
【発明を実施するための最良の形態】
【００３０】
以下、本実施の形態では、複数の検査端末装置として動物の血液を分析する動物用血液分析装置を一例とし、図面に基づいて具体的に説明する。
【００３１】
（実施の形態１）
図１は、本発明の実施の形態１に係る動物検査情報提供システムの構成を示すブロック図である。図１に示すように、本実施の形態１に係る動物検査情報提供システムは、インターネットに代表されるネットワーク網１を介して、中央装置３と複数の検査端末装置２、２、・・・とがデータを送受信することが可能に接続されている。
【００３２】
中央装置３は、少なくとも、ＣＰＵ（中央演算装置）３１、ＲＯＭ３２、ＲＡＭ３３、記憶装置３４、入力装置３５、表示装置３６、補助記憶装置３７、通信装置３８及び上述したハードウェアを接続する内部バス３９で構成されている。ＣＰＵ３１は、内部バス３９を介して中央装置３の上述したようなハードウェア各部と接続されており、上述したハードウェア各部の動作を制御するとともに、記憶装置３４に記憶されているコンピュータプログラム１００に従って、種々のソフトウェア的機能を実行する。ＲＡＭ３３は、ＳＲＡＭ、フラッシュメモリ等で構成され、コンピュータプログラム１００の実行時にロードモジュールが展開され、コンピュータプログラム１００の実行時に発生する一時的なデータ等を記憶する。もちろん、コンピュータプログラム１００は、事前にＲＯＭ３２に記憶されていても良い。
【００３３】
記憶装置３４は、内蔵される固定型記憶装置（ハードディスク）等で構成されている。記憶装置３４に記憶されているコンピュータプログラム１００は、プログラム及びデータ等の情報を記録したＤＶＤ、ＣＤ−ＲＯＭ等の可搬型記録媒体９０から、補助記憶装置３７によりダウンロードされ、実行時には記憶装置３４からＲＡＭ３３へ展開して実行される。もちろん、通信装置３８を介して外部コンピュータからダウンロードされたコンピュータプログラムであっても良い。
【００３４】
また記憶装置３４は、物性値情報記憶部３４１を備えている。物性値情報記憶部３４１は、複数の検査端末装置２、２、・・・にてユーザが測定した種々の物性値に関する情報を集約して、属性情報と対応付けて記憶する。
【００３５】
通信装置３８は内部バス３９に接続されており、インターネット、ＬＡＮ、ＷＡＮ等の外部のネットワーク網１に接続されることにより、外部のコンピュータ等とデータ送受信を行うことが可能となっている。すなわち、上述した記憶装置３４は、中央装置３に内蔵される構成に限定されるものではなく、通信装置３８を介して接続されている外部のストレージ等の外部記録媒体であっても良い。
【００３６】
入力装置３５は、キーボード及びマウス等のデータ入力媒体である。表示装置３６は、ＣＲＴモニタ、ＬＣＤ等の表示装置である。
【００３７】
本実施の形態１では、検査端末装置２として動物用の血液検査装置を例に挙げて説明する。検査端末装置２は、分析装置（例えば血球計数装置）と演算表示装置とで構成されている。図２は、本発明の実施の形態１に係る動物検査情報提供システムで用いる検査端末装置２の分析装置２ａの構成を模式的に示す斜視図である。図２に示すように、分析装置２ａのハウジング２０には、ディスプレイ１９、制御基板部９、電源部１０、プリンタ部１１、及び測定部１２が収容されている。ディスプレイ１９は、タッチパネル式ディスプレイであり、情報を表示し、しかも使用者からの入力を受け付けることができる。
【００３８】
測定部１２は、検体セット部６、検体処理部７、及び流体制御部８で構成されている。検体セット部６は、上面が開口しており、上面から検体容器（血液を収容した容器）をセットすることができる。検体セットパネル４は、検体セット部６に取り付けられており、ハウジング２０の外側に位置している。
【００３９】
押しボタン５は、ハウジング２０の外側に備えてあり、検体セットパネル４と係合することにより、検体セット部６を位置決めしている。押しボタン５が使用者により押された場合、押しボタン５による係合が解除され、検体セット部６が検体セットパネル４と一体となって軸Ｒを中心にＡ方向に４５度回転する。これにより、使用者は、検体セット部６の上面から検体容器（血液を収容した容器）をセットすることができる。
【００４０】
検体容器をセットした使用者は、検体セットパネル４を押して４５度回転させることにより、検体セット部６を図２に示す位置に戻すことができる。同様に、検体容器を検体セット部６から取出す時は、使用者は、押しボタン５を押すことによって、検体セット部６を４５度回転させて検体容器を取出すことができる。
【００４１】
検体処理部７は、吸引機構１６、検出部１７、及びミックスチャンバ１８で構成されている。吸引機構１６は、検体セット部６にセットされた検体容器から、検体を吸引して検出部１７、及びミックスチャンバ１８へ注入するための機構であり、吸引管、モータ等のアクチュエータを備えている。
【００４２】
検出部１７は、例えば電気抵抗式の検出部であり、検体中の血球に基づいて電気信号を検出する。検出部１７としては、例えば、米国特許出願公開第２００２／００３４８２４号明細書に記載の検出部を使用することもできる。検出部１７にて検出される物性値は、ＷＢＣ（白血球数）、ＲＢＣ（赤血球数）、ＨＣＴ（ヘマトクリット値）等であり、制御基板部９へ出力信号として出力される。
【００４３】
ミックスチャンバ１８は、検体と試薬とを混合するための上部が開口している容器である。流体制御部８には、試薬を収容した試薬容器１３がチューブ１５を介して接続されている。流体制御部８は、試薬を移送するポンプ、該ポンプを駆動するモータ等のアクチュエータが備えられており、検体、試薬等を検出部１７及びミックスチャンバ１８へ注入し、逆に排出することができる。
【００４４】
制御基板部９は、各部の動作を制御し、測定対象となっている物性値に関する情報を取得して、分析結果を算出する。制御基板部９の構成については後述する。電源部１０は、商用交流電源から受けた交流電流を直流電流に変換して、制御基板部９、各部のモータ等のアクチュエータへ供給する。プリンタ部１１は、分析結果などを印刷するプリンタを備えている。
【００４５】
図３は、分析装置２ａの制御基板部９の構成を示すブロック図である。図３に示すように、制御基板部９は、少なくともＣＰＵ９１、ＲＡＭ９２、駆動回路９３、Ａ／Ｄ変換等を実行する信号処理回路９４、及びネットワークを介して外部とデータ送受信することが可能な通信インタフェース９５で構成されている。ＲＡＭ９２は、実行するコンピュータプログラム、測定された結果に関する情報等を記憶する。
【００４６】
駆動回路９３は、測定動作プログラムからの指令を受けてモータ等のアクチュエータの動作、ディスプレイ１９の動作等を制御する。信号処理回路９４は、検出部１７からの出力信号を解析可能なデジタル信号へ変換する回路である。通信インタフェース９５は、ＵＳＢケーブル、ＬＡＮケーブル等のネットワークを介して演算表示装置２ｂへ検出された物性値情報を送信する。
【００４７】
ＣＰＵ９１は、内部バス９６を介して制御基板部９の上述したようなハードウェア各部と接続されており、上述したハードウェア各部の動作を制御するとともに、ＲＡＭ９２に記憶されているコンピュータプログラムに従って、種々のソフトウェア的機能を実行する。すなわち、ＣＰＵ９１は、信号処理回路９４でデジタル化された、検出部１７で得られた信号に基づいて分析処理等を実行し、通信インタフェース９５からネットワークを介して演算表示装置２ｂへ物性値情報を送信する。
【００４８】
図４は、本発明の実施の形態１に係る動物検査情報提供システムで用いる検査端末装置２の演算表示装置２ｂの構成を示すブロック図である。図４に示すように、演算表示装置２ｂは、少なくとも、ＣＰＵ（中央演算装置）２１、ＲＡＭ２２、記憶装置２３、入力装置２４、表示装置２５、出力装置２６、通信インタフェース２７及び上述したハードウェアを接続する内部バス２８で構成されている。ＣＰＵ２１は、内部バス２８を介して演算表示装置２ｂの上述したようなハードウェア各部と接続されており、上述したハードウェア各部の動作を制御するとともに、記憶装置２３に記憶されているコンピュータプログラムに従って、種々のソフトウェア的機能を実行する。ＲＡＭ２２は、ＳＲＡＭ、フラッシュメモリ等で構成され、コンピュータプログラムの実行時にロードモジュールが展開され、コンピュータプログラムの実行時に発生する一時的なデータ等を記憶する。
【００４９】
記憶装置２３は、内蔵される固定型記憶装置（ハードディスク）等で構成されている。通信インタフェース２７は内部バス２８に接続されており、分析装置２ａ、及びインターネット、ＬＡＮ、ＷＡＮ等の外部のネットワーク網１に接続されることにより、外部のコンピュータ等とデータ送受信を行うことが可能となっている。すなわち、ネットワーク網１を介して中央装置３とデータを送受信することが可能に接続されており、物性値情報を中央装置３へ送信し、結果判断に関する情報及び基準情報を受信する。
【００５０】
入力装置２４は、キーボード及びマウス等のデータ入力媒体である。表示装置２５は、ＣＲＴモニタ、ＬＣＤ等の表示装置であり、結果判断に関する情報をグラフィカルに表示する。出力装置２６は、レーザプリンタ、インクジェットプリンタ等の印刷装置等である。
【００５１】
上述した構成の動物検査情報提供システムでの検査端末装置２及び中央装置３での処理手順について説明する。図５は、本発明の実施の形態１に係る動物検査情報提供システムで用いる検査端末装置２のＣＰＵ２１の処理手順を示すフローチャートである。
【００５２】
図５において、検査端末装置２の演算表示装置２ｂのＣＰＵ２１は、入力装置２４を介して、測定対象となる検体の属性情報を受け付ける（ステップＳ５０１）。もちろん分析装置２ａのＣＰＵ９１が、ディスプレイ１９を介して直接受け付け、演算表示装置２ｂへ送信しても良い。ここで、受け付ける属性情報とは、動物種（動物の種類：イヌ、ネコ、・・・）に限定されず、品種（動物の固有銘柄：イヌの場合、コリー、ブルドッグ、チワワ、・・・）、年齢、性別、罹患している疾患の種類等に関する情報であるが、これらに限定されるものではない。
【００５３】
ＣＰＵ２１は、検体の測定開始の指示情報を分析装置２ａへ送信する（ステップＳ５０２）。分析装置２ａは検体の分析処理を実行し、ＣＰＵ９１は、検出部１７にて測定された物性値情報を受け付け、演算表示装置２ｂへ送信する。演算表示装置２ｂのＣＰＵ２１は、分析装置２ａから物性値情報を受信したか否かを判断し（ステップＳ５０３）、受信したと判断するまで処理は待ち状態となる（ステップＳ５０３：ＮＯ）。ＣＰＵ２１が、物性値情報を受信したと判断した場合（ステップＳ５０３：ＹＥＳ）、ＣＰＵ２１は受信した物性値情報をステップＳ５０１で受け付けた属性情報と対応付けて中央装置３へ送信する（ステップＳ５０４）。
【００５４】
図６は、本発明の実施の形態１に係る動物検査情報提供システムで用いる中央装置３のＣＰＵ３１の処理手順を示すフローチャートである。図６において、中央装置３のＣＰＵ３１は、属性情報と対応付けられた物性値情報を受信し（ステップＳ６０１）、受信した物性値情報及び属性情報を記憶装置３４の物性値情報記憶部３４１へ記憶する（ステップＳ６０２）。
【００５５】
図７は、物性値情報記憶部３４１に記憶されるデータ構造の例示図である。図７に示すように、送信元である検査端末装置２を識別することができる識別情報、例えば端末ＩＤに対応付けて、属性情報及び物性値情報が記憶されている。物性値情報に基づいて動物の処置方法を決定するために使用される基準情報を算出した後、該基準情報算出の根拠となった物性値情報の送信元である検査端末装置２を特定するのに必要だからである。属性情報は、複数の属性１、属性２、・・・で構成されており、物性値情報についても、複数の物性値１、物性値２、・・・で構成されている。
【００５６】
図５に戻って、検査端末装置２の演算表示装置２ｂのＣＰＵ２１は、結果判断に関する情報の要求情報を、入力装置２４を介して受け付けたか否かを判断する（ステップＳ５０５）。ＣＰＵ２１が、要求情報を受け付けたと判断するまで処理は待ち状態となり（ステップＳ５０５：ＮＯ）、要求情報を受け付けたと判断した場合（ステップＳ５０５：ＹＥＳ）、ＣＰＵ２１は、中央装置３へ要求情報を送信する（ステップＳ５０６）。
【００５７】
図６に戻って、中央装置３のＣＰＵ３１は、要求情報を受信したか否かを判断し（ステップＳ６０３）、ＣＰＵ３１が、要求情報を受信したと判断するまで、処理は待ち状態となる（ステップＳ６０３：ＮＯ）。ＣＰＵ３１が、要求情報を受信したと判断した場合（ステップＳ６０３：ＹＥＳ）、ＣＰＵ３１は、物性値情報記憶部３４１へ収集された大量の物性値情報に基づいて、属性情報ごとに物性値情報に基づいて動物の処置方法を決定するために使用される基準情報を算出する（ステップＳ６０４）。ここで算出される基準情報とは、物性値情報に基づいて動物の処置方法を決定するために使用される基準値に関する情報であり、例えば属性情報ごとに算出される平均値である。基準情報を用いて、例えば物性値情報が正常であるか否か（すなわち、検査された動物が健康であるか否か）を判断する正常範囲の上下所定幅を定めることで、受信した物性値情報が正常値であるか否かを判断することができる。もちろん、基準情報として、正常範囲の上下所定幅を有する最大値及び最小値を含めても良い。この他、一定量の物性値情報が収集可能である場合、収集された物性値情報に基づいて、測定された物性値の正規分布を算出して統計的演算を行うことで、物性値情報が正常であると判断すべき範囲を特定しても良い。
【００５８】
例えば正規分布を用いる場合、ＣＰＵ３１は、取得した所定の物性値Ｚが、確率密度関数ｆ（Ｚ）の最大側又は最小側、若しくは両方の所定の範囲に含まれるか否かを判断する。図８は、確率密度関数ｆ（Ｚ）の例示図である。図８に示すように、ＣＰＵ３１が物性値の平均値と分散とを算出することにより、確率密度関数８０を算出する。もちろん、異常値を排除するべく、最大値近傍、最小値近傍の物性値を事前に除いてから確率密度関数ｆ（Ｚ）を求めても良い。確率密度関数ｆ（Ｚ）は、（式１）のように表すことができる。なお、（式１）におけるσは物性値Ｚの標準偏差であり、（式２）により算出される。
【００５９】
【数１】
0005203687.tif 000002
【００６０】
【数２】
0005203687.tif 000003
【００６１】
物性値が正常範囲に含まれないと判断されるのは、確率密度関数８０の最大値側の領域８１又は最小値側の領域８２で、全体の数％、例えば５乃至１０％に相当する範囲に含まれた場合と考えることもできる。したがって、取得した物性値Ｚが領域８１又は８２に含まれる場合には、物性値Ｚが正常でない物性値であると判断することができる。
【００６２】
したがって、この場合には、基準情報として中央装置３が検査端末装置２へ送信する情報としては、少なくとも確率密度関数ｆ（Ｚ）を送信すれば足りる。もちろん、どの範囲であれば正常と判断すべきかを示す境界値（割合）を含めても良いことは言うまでもない。その他、統計処理手順に応じて、基準情報として検査端末装置２へ送信される情報は変化する。
【００６３】
図６に戻って、中央装置３のＣＰＵ３１は、物性値情報の送信元である検査端末装置２へ、結果判断に関する情報として、受信した属性情報に対応した基準情報を送信する（ステップＳ６０５）。例えば動物種「犬」、品種「コリー」で物性値情報を送信してきた検査端末装置２に対しては、動物種「犬」、品種「コリー」に対応する基準情報を送信する。このようにすることで、検査端末装置２単体では特定するには不十分な物性値情報しかなかった場合であっても、信頼性の高い基準情報を取得することができ、医師の判断を支援することが可能となる。
【００６４】
図５へ戻って、検査端末装置２の演算表示装置２ｂのＣＰＵ２１は、結果判断に関する情報として、中央装置３へ送信した物性値情報に対応する属性情報に関する基準情報を受信し（ステップＳ５０７）、表示装置２５に結果判断に関する情報を基準情報とともに表示する（ステップＳ５０８）。表示装置２５に表示する形式は特に限定されるものではないが、基準情報と測定された物性値情報との対比が視覚的に可能であることが望ましい。
【００６５】
図９は、結果判断に関する情報として表示装置２５に表示される画面の例示図である。図９では、物性値情報として各項目の測定値を、基準情報として表示されている各項目の正常範囲を、それぞれ表示している。そして、実際に測定された物性値情報が正常範囲に対して「過小」なのか、「正常」なのか、「過大」なのかを視覚的に確認することができるよう、スライドバー９９を用いて並べて表示している。これにより、測定された物性値情報が正常であるか否かを目視確認することができる。
【００６６】
図１０は、結果判断に関する情報として表示装置２５に表示される画面の他の例示図である。図１０では、物性値情報として各項目の測定値をサンプリングし、基準情報として表示されている各項目の正常範囲との関係を、レーダチャートとして表示している。ハッチング部１０１が、外周部分が正常範囲の最大値を、内周部分が正常範囲の最小値を、それぞれ示しており、測定された物性値情報がハッチング部１０１に含まれているか否かにより、項目ごとに測定された物性値情報が正常範囲に含まれているか否かを視覚的に確認することができる。
【００６７】
物性値情報によっては、単純に正常範囲を定めることができない場合もありうる。その場合、正常な場合の分布と比較することで、感覚的に正常であるか否かを判断する必要がある。図１１は、物性値情報の分布状況を比較する場合の表示装置２５に表示される画面の例示図である。
【００６８】
図１１では、測定された赤血球の粒子数と粒子径との関係を示す測定値１１０に対して、ハッチング部１１１が正常であると判断される分布範囲を示している。図１１の例では、測定値１１０の極大値での粒子径が、ハッチング部１１１の極大値での粒子径よりも大きいことから、測定された血液中には、粒子径の大きな赤血球の個数が正常範囲よりも過多に含まれていると判断することができる。
【００６９】
以上のように本実施の形態１によれば、複数の検査端末装置から物性値情報を集約することにより、一つ一つの検査端末装置では絶対数が足りない属性情報を有する動物の物性値情報を一定量集めることができ、集められた物性値情報に基づいて動物の処置方法を決定するために使用される基準情報を算出することにより、より多くの物性値情報に基づいた基準情報を算出することができる。したがって、一の動物病院では十分な検査データを保有していない属性情報、あるいは未知の属性情報を有する動物であっても、医師が勘と経験とに頼ることなく、より客観的な基準情報に基づいて動物の処置方法を決定することが可能となる。
【００７０】
なお、基準情報は、収集した物性値情報に応じて略リアルタイム的に中央装置３で更新することができる。したがって、わが国では希少で動物種等の属性情報を有する動物検体の測定結果である物性値情報を受信した場合、より最新の物性値情報を用いて更新した基準情報を用いて動物の処置方法を決定することができ、動物医院単独では判断が困難であった事例に対して正確な診断ができるよう支援することもできる。
【００７１】
（実施の形態２）
以下、本発明の実施の形態２に係る動物検査情報提供システムについて、図面に基づいて具体的に説明する。本発明の実施の形態２に係る動物検査情報提供システムの構成は実施の形態１と同様であるが、検査端末装置２、２、・・・にてそれぞれ測定された物性値情報が補正されていることを考慮に入れて、中央装置３にて補正を考慮した基準情報を算出する点で実施の形態１と相違する。以下、中央装置３、検査端末装置２の基本的構成は実施の形態１と同様であるので、同一の符号を付することにより詳細な説明は省略する。
【００７２】
本実施の形態２に係る動物検査情報提供システムでの検査端末装置２及び中央装置３での処理手順について説明する。図１２は、本発明の実施の形態２に係る動物検査情報提供システムで用いる検査端末装置２のＣＰＵ２１の処理手順を示すフローチャートである。
【００７３】
図１２において、検査端末装置２の演算表示装置２ｂのＣＰＵ２１は、分析装置２ａのディスプレイ１９を介して入力又は設定された補正情報を受け付ける（ステップＳ１２０１）。もちろん、演算表示装置２ｂのＣＰＵ２１が、入力装置２４を介して受け付けても良いし、納品時に設定され、分析装置２ａの制御基板部９のＲＡＭ９２に記憶されている補正情報を、通信インタフェース９５を介して受信しても良い。
【００７４】
ここで、補正情報とは、別の測定装置で測定された測定値を真の値として、該分析装置２ａで測定された物性値情報を、該測定値となるよう補正する補正係数を意味している。例えば測定される物性値情報がヘマトクリット値ＨＣＴである場合、当該分析装置２ａでの測定値ＨＣＴ１と、例えば動物病院に設置されていることが多い遠心ヘマトクリット法を用いる測定装置での測定値ＨＣＴ２とでは、測定値が相違することがある。そこで、両者が相違する場合には、遠心ヘマトクリット法での測定値ＨＣＴ２を正しい値と仮定して、分析装置２ａでの測定値ＨＣＴ１が測定値ＨＣＴ２となるように補正係数αを乗算することで修正する。この場合、補正係数αは（式３）のように求めることができる。
【００７５】
α＝ＨＣＴ２／ＨＣＴ１  ・・・  （式３）
【００７６】
他の物性値情報に関する補正係数も必要があれば同様に算出される。したがって、物性値情報だけでなく、物性値情報ごとの補正係数も中央装置３へ送信することにより、補正前の原物性値情報に基づいて、動物の処置方法を決定するために用いる基準情報を、より正確に算出することができる。したがって、より最新の物性値情報を用いて更新した基準情報を用いて動物の処置方法を決定することが可能となる。
【００７７】
次に検査端末装置２の演算表示装置２ｂのＣＰＵ２１は、入力装置２４を介して、測定対象となる検体の属性情報を受け付ける（ステップＳ１２０２）。もちろん分析装置２ａのＣＰＵ９１が、ディスプレイ１９を介して直接受け付け、演算表示装置２ｂへ送信しても良い。ここで、受け付ける属性情報とは、動物種（動物の種類：イヌ、ネコ、・・・）に限定されず、品種（動物の固有銘柄：イヌの場合、コリー、ブルドッグ、チワワ、・・・）、年齢、性別等に関する情報であるが、これらに限定されるものではない。
【００７８】
ＣＰＵ２１は、検体の測定開始の指示情報を分析装置２ａへ送信する（ステップＳ１２０３）。分析装置２ａは検体の分析処理を実行し、ＣＰＵ９１は、検出部１７にて測定された物性値情報を受け付け、受け付けた属性情報と対応付けて演算表示装置２ｂへ送信する。演算表示装置２ｂのＣＰＵ２１は、分析装置２ａから物性値情報を受信したか否かを判断し（ステップＳ１２０４）、受信したと判断するまで処理は待ち状態となる（ステップＳ１２０４：ＮＯ）。ＣＰＵ２１が、物性値情報を受信したと判断した場合（ステップＳ１２０４：ＹＥＳ）、ＣＰＵ２１は、受信した物性値情報及び補正情報に基づいて、物性値情報を補正し（ステップＳ１２０５）、補正された物性値情報、属性情報及び補正情報を中央装置３へ送信する（ステップＳ１２０６）。
【００７９】
図１３は、本発明の実施の形態２に係る動物検査情報提供システムで用いる中央装置３のＣＰＵ３１の処理手順を示すフローチャートである。図１３において、中央装置３のＣＰＵ３１は、属性情報と対応付けられた物性値情報、属性情報及び補正情報を受信し（ステップＳ１３０１）、受信した物性値情報、属性情報及び補正情報を記憶装置３４の物性値情報記憶部３４１へ記憶する（ステップＳ１３０２）。
【００８０】
図１４は、物性値情報記憶部３４１に記憶されるデータ構造の例示図である。図１４に示すように、送信元である検査端末装置２を識別することができる識別情報、例えば端末ＩＤに対応付けて、属性情報、物性値情報、及び物性値情報ごとの補正情報が記憶されている。属性情報は、複数の属性１、属性２、・・・で構成されており、物性値情報についても、複数の物性値１、物性値２、・・・で構成されている。補正情報は、物性値１に対応する補正情報が補正係数１、物性値２に対応する補正情報が補正係数２、・・・と、以下物性値情報の数だけ記憶されている。
【００８１】
図１２に戻って、検査端末装置２の演算表示装置２ｂのＣＰＵ２１は、結果判断に関する情報の要求情報を、入力装置２４を介して受け付けたか否かを判断する（ステップＳ１２０７）。ＣＰＵ２１が、要求情報を受け付けたと判断するまで処理は待ち状態となり（ステップＳ１２０７：ＮＯ）、要求情報を受け付けたと判断した場合（ステップＳ１２０７：ＹＥＳ）、ＣＰＵ２１は、中央装置３へ要求情報を送信する（ステップＳ１２０８）。
【００８２】
図１３に戻って、中央装置３のＣＰＵ３１は、要求情報を受信したか否かを判断し（ステップＳ１３０３）、ＣＰＵ３１が、要求情報を受信したと判断するまで、処理は待ち状態となる（ステップＳ１３０３：ＮＯ）。ＣＰＵ３１が、要求情報を受信したと判断した場合（ステップＳ１３０３：ＹＥＳ）、  ＣＰＵ３１は、記憶されている物性値情報及び補正情報に基づいて、補正前の物性値情報である原物性値情報を算出し（ステップＳ１３０４）、物性値情報記憶部３４１へ収集された大量の原物性値情報に基づいて、属性情報ごとに物性値の基準情報を算出する（ステップＳ１３０５）。
【００８３】
ここで算出される基準情報とは、実施の形態１と同様、物性値情報に基づいて動物の処置方法を決定するために使用される基準値に関する情報であり、例えば属性情報ごとに算出される平均値である。基準情報を用いて、例えば物性値情報が正常であるか否かを判断する正常範囲の上下所定幅を定めることで、受信した物性値情報が正常値であるか否かを判断することができる。もちろん、基準情報として、正常範囲の上下所定幅を有する最大値及び最小値を含めても良い。この他、一定量の物性値情報が収集可能である場合、収集された物性値情報に基づいて、測定された物性値の正規分布を算出して統計的演算を行うことで、物性値情報が正常であると判断すべき範囲を特定しても良い。
【００８４】
ＣＰＵ３１は、物性値情報の送信元である検査端末装置２へ、受信した属性情報に対応した基準情報を送信する（ステップＳ１３０６）。例えば動物種「犬」、品種「コリー」で物性値情報を送信してきた検査端末装置２に対しては、動物種「犬」、品種「コリー」に対応する基準情報を送信する。このようにすることで、検査端末装置２単体では特定するには不十分な物性値情報しかなかった場合であっても、信頼性の高い基準情報を取得することができ、医師の判断を支援することが可能となる。また、補正される前の原物性値情報に基づいて基準情報が算出されているので、基準情報の精度がより高く、測定された物性値情報が正常であるか否かの判断精度も高くなる。
【００８５】
図１２へ戻って、検査端末装置２の演算表示装置２ｂのＣＰＵ２１は、中央装置３へ送信した物性値情報に対応する属性情報に関する基準情報を受信し（ステップＳ１２０９）、表示装置２５に結果判断に関する情報を基準情報とともに表示する（ステップＳ１２１０）。表示装置２５に表示する形式は特に限定されるものではなく、実施の形態１と同様、様々な表示形式を用いることができる。
【００８６】
なお、補正前の原物性値情報に基づいて算出された基準情報を検査端末装置２へ送信することに限定されるものではなく、算出された基準情報を中央装置３にて補正してから、補正後の基準情報を検査端末装置２へ送信しても良い。図１５は、本発明の実施の形態２に係る動物検査情報提供システムで用いる中央装置３のＣＰＵ３１の他の処理手順を示すフローチャートである。
【００８７】
図１５において、ステップＳ１３０５までの処理は図１３と同様であるので、詳細な説明は省略する。中央装置３のＣＰＵ３１は、算出された基準情報を、記憶されている補正情報に基づいて補正し（ステップＳ１５０１）、物性値情報の送信元である検査端末装置２へ、受信した属性情報に対応した、補正後の基準情報を送信する（ステップＳ１５０２）。
【００８８】
このようにすることで、基準情報を受信した検査端末装置２では、受信した基準情報を補正することなく、そのまま用いることで、測定された物性値情報が正常範囲に含まれるか否か等を確認することができ、動物の処置方法を決定することが可能となる。
【００８９】
以上のように本実施の形態２によれば、検査端末装置２ごとに異なる値で設定されている補正情報による測定された物性値情報のばらつきを是正することができ、より精度の高い基準情報を算出することが可能となる。なお、本実施の形態２では、ＣＰＵ２１は、ステップＳ１２０６において補正後の物性値情報を送信しているが、補正前の物性値情報を属性情報及び補正情報とともに中央装置３へ送信するようにしてもよい。
【００９０】
（実施の形態３）
以下、本発明の実施の形態３に係る動物検査情報提供システムについて、図面に基づいて具体的に説明する。図１６は、本発明の実施の形態３に係る動物検査情報提供システムの構成を示すブロック図である。本実施の形態３に係る動物検査情報提供システムの構成は実施の形態１とほぼ同様であるが、中央装置３の記憶装置３４に、疾患情報記憶部３４２、及び／又は処置情報記憶部３４３を備える点で実施の形態１と相違する。以下、中央装置３、検査端末装置２の基本的構成は実施の形態１と同様であることで、同一の符号を付することにより詳細な説明は省略する。
【００９１】
中央装置３の記憶装置３４に備えられている疾患情報記憶部３４２は、属性情報と対応付けて、測定される物性値情報が、基準情報との間で具備するべき関係等を含む疾患判断条件情報に基づいて、対応する疾患に関する疾患情報を記憶している。疾患情報としては、検査端末装置２の表示装置２５に表示するメッセージとして記憶しておくことが好ましい。医師が視覚的に情報を取得することができるからである。
【００９２】
例えば、ＨＧＢ（ヘモグロビン量）が正常範囲よりも小さいこと、ＭＣＶ（平均赤血球容積）が正常範囲より小さいことを疾患判断条件情報として、対応するメッセージとして「小球性低色素性貧血であり、鉄欠乏性貧血等が疑われます」をテキストデータとして記憶しておく。また、ＨＧＢ（ヘモグロビン量）及びＭＣＶ（平均赤血球容積）が正常範囲に含まれること、ＲＢＣが正常範囲より小さいこと、ＬＤＨが正常範囲より小さいことを疾患判断条件情報として、対応するメッセージとして「大球性貧血であり、再生性不良貧血、溶血性貧血、巨赤芽球性貧血、肝臓疾患等が疑われます」をテキストデータとして記憶しておく。これら様々な疾患と判断することができる疾患判断条件情報に対応付けて、疾患情報（メッセージ）を記憶しておくことにより、中央装置３で疾患の可能性を判定して検査端末装置２へ送信することが可能となる。
【００９３】
図１７は、本発明の実施の形態３に係る動物検査情報提供システムで用いる中央装置３のＣＰＵ３１の処理手順を示すフローチャートである。図１７において、中央装置３のＣＰＵ３１は、属性情報と対応付けられた物性値情報を受信し（ステップＳ１７０１）、受信した物性値情報、及び属性情報を記憶装置３４の物性値情報記憶部３４１へ記憶する（ステップＳ１７０２）。
【００９４】
ＣＰＵ３１は、検査端末装置２から要求情報を受信したか否かを判断し（ステップＳ１７０３）、ＣＰＵ３１が、要求情報を受信したと判断するまで、処理は待ち状態となる（ステップＳ１７０３：ＮＯ）。ＣＰＵ３１が、要求情報を受信したと判断した場合（ステップＳ１７０３：ＹＥＳ）、  ＣＰＵ３１は、物性値情報記憶部３４１へ収集された大量の物性値情報に基づいて、属性情報ごとに物性値情報の基準情報を算出する（ステップＳ１７０４）。
【００９５】
ここで算出される基準情報とは、実施の形態１及び２と同様、物性値情報に基づいて動物の処置方法を決定するために使用される基準値に関する情報であり、例えば属性情報ごとに算出される平均値である。基準情報を用いて、例えば物性値情報が正常であるか否かを判断する正常範囲の上下所定幅を定めることで、受信した物性値情報が正常値であるか否かを判断することができる。もちろん、基準情報として、正常範囲の上下所定幅を有する最大値及び最小値を含めても良い。この他、一定量の物性値情報が収集可能である場合、収集された物性値情報に基づいて、測定された物性値の正規分布を算出して統計的演算を行うことで、物性値情報が正常であると判断すべき範囲を特定しても良い。
【００９６】
ＣＰＵ３１は、一の物性値情報を選択し（ステップＳ１７０５）、選択された物性値情報が、特定された正常範囲内に含まれるか否かを判断する（ステップＳ１７０６）。ＣＰＵ３１が、正常範囲内に含まれないと判断した場合（ステップＳ１７０６：ＮＯ）、ＣＰＵ３１は、物性値情報と基準情報との相対関係に関する情報としてＲＡＭ３３に記憶し（ステップＳ１７０７）、ＣＰＵ３１が、正常範囲内に含まれると判断した場合（ステップＳ１７０６：ＹＥＳ）、ＣＰＵ３１は、ステップＳ１７０７をスキップして、全ての物性値情報が選択されたか否かを判断する（ステップＳ１７０８）。物性値情報と基準情報との相対関係に関する情報としては、例えば物性値情報Ａは基準情報Ｂより小さい、物性値情報Ｃは基準情報Ｄより小さい等の相対関係に関する情報である。
【００９７】
ＣＰＵ３１が、まだ選択されていない物性値情報が存在すると判断した場合（ステップＳ１７０８：ＮＯ）、ＣＰＵ３１は、次の物性情報値を選択して（ステップＳ１７０９）、処理をステップＳ１７０６へ戻して、上述した処理を繰り返す。ＣＰＵ３１が、全ての物性値情報が選択されたと判断した場合（ステップＳ１７０８：ＹＥＳ）、ＣＰＵ３１は、ＲＡＭ３３に記憶されている物性値情報と基準情報との相対関係に関する情報に基づいて、疾患情報記憶部３４２を照会するための疾患判断条件情報を特定する（ステップＳ１７１０）。
【００９８】
ＣＰＵ３１は、疾患情報記憶部３４２を照会して、疾患判断条件情報が合致するか否かを判断し（ステップＳ１７１１）、ＣＰＵ３１が、合致すると判断した場合（ステップＳ１７１１：ＹＥＳ）、疾患判断条件情報に対応付けて疾患情報記憶部３４２に記憶されている疾患情報を抽出する（ステップＳ１７１２）。
【００９９】
ＣＰＵ３１は、物性値情報の送信元である検査端末装置２へ、抽出された疾患情報、物性値情報及び属性情報を送信する（ステップＳ１７１３）。このように中央装置３にて受信した物性値情報が正常範囲内に含まれるか否かを判断するとともに、物性値情報ごとの基準情報との相対関係に関する情報に基づいて、想定される疾患に関する疾患情報を検査端末装置２で取得することができるので、動物の飼い主に対してより正確な判断を提供することを支援することが可能となる。
【０１００】
また、疾患情報にとどまらず、さらにどのような検査を追加すればよいか、等の処置方法に関する処置情報も同様の処理で検査端末装置２へ送信することができる。この場合、中央装置３の記憶装置３４に備えられている処置情報記憶部３４３は、属性情報と対応付けて、測定される物性値情報が、基準情報との間で具備するべき関係等を含む処置判断条件情報に基づいて、対応する疾患に関する処置情報を記憶している。処置情報としては、検査端末装置２の表示装置２５に表示するメッセージとして記憶しておくことが好ましい。医師が視覚的に情報を取得することができるからである。
【０１０１】
例えば、ＨＧＢ（ヘモグロビン量）が正常範囲よりも小さいこと、ＭＣＶ（平均赤血球容積）が正常範囲より小さいことを組み合わせ条件として、対応するメッセージとして「血清鉄、ＴＩＢＣの測定を推奨します。血清鉄が小さく、ＴＩＢＣが正常又は大きい場合には、鉄欠乏性貧血の可能性があります」をテキストデータとして記憶しておく。このように疾患情報にとどまらず、さらに確認するために必要な処置方法等に関する処置情報を記憶しておくことにより、中央装置３で必要となる処置情報を抽出して検査端末装置２へメッセージとして送信することが可能となる。
【０１０２】
図１８は、本発明の実施の形態３に係る動物検査情報提供システムで用いる中央装置３のＣＰＵ３１の他の処理手順を示すフローチャートである。図１８において、中央装置３のＣＰＵ３１は、属性情報と対応付けられた物性値情報を受信し（ステップＳ１８０１）、受信した物性値情報、及び属性情報を記憶装置３４の物性値情報記憶部３４１へ記憶する（ステップＳ１８０２）。
【０１０３】
ＣＰＵ３１は、検査端末装置２から要求情報を受信したか否かを判断し（ステップＳ１８０３）、ＣＰＵ３１が、要求情報を受信したと判断するまで、処理は待ち状態となる（ステップＳ１８０３：ＮＯ）。ＣＰＵ３１が、要求情報を受信したと判断した場合（ステップＳ１８０３：ＹＥＳ）、  ＣＰＵ３１は、物性値情報記憶部３４１へ収集された大量の物性値情報に基づいて、属性情報ごとに物性値情報の基準情報を算出する（ステップＳ１８０４）。
【０１０４】
ＣＰＵ３１は、一の物性値情報を選択し（ステップＳ１８０５）、選択された物性値情報が、特定された正常範囲内に含まれるか否かを判断する（ステップＳ１８０６）。ＣＰＵ３１が、正常範囲内に含まれないと判断した場合（ステップＳ１８０６：ＮＯ）、ＣＰＵ３１は、物性値情報と基準情報との相対関係に関する情報としてＲＡＭ３３に記憶し（ステップＳ１８０７）、ＣＰＵ３１が、正常範囲内に含まれると判断した場合（ステップＳ１８０６：ＹＥＳ）、ＣＰＵ３１は、ステップＳ１８０７をスキップして、全ての物性値情報が選択されたか否かを判断する（ステップＳ１８０８）。物性値情報と基準情報との相対関係に関する情報としては、例えば物性値情報Ａは基準情報Ｂより小さい、物性値情報Ｃは基準情報Ｄより小さい等の相対関係に関する情報である。
【０１０５】
ＣＰＵ３１が、まだ選択されていない物性値情報が存在すると判断した場合（ステップＳ１８０８：ＮＯ）、ＣＰＵ３１は、次の物性情報値を選択して（ステップＳ１８０９）、処理をステップＳ１８０６へ戻して、上述した処理を繰り返す。ＣＰＵ３１が、全ての物性値情報が選択されたと判断した場合（ステップＳ１８０８：ＹＥＳ）、ＣＰＵ３１は、ＲＡＭ３３に記憶されている物性値情報と基準情報との相対関係に関する情報に基づいて、処置情報記憶部３４３を照会するための処置判断条件情報を特定する（ステップＳ１８１０）。
【０１０６】
ＣＰＵ３１は、処置情報記憶部３４３を照会して、処置判断条件情報が合致するか否かを判断し（ステップＳ１８１１）、ＣＰＵ３１が、合致すると判断した場合（ステップＳ１８１１：ＹＥＳ）、処置判断条件情報に対応付けて処置情報記憶部３４３に記憶されている処置情報を抽出する（ステップＳ１８１２）。
【０１０７】
ＣＰＵ３１は、物性値情報の送信元である検査端末装置２へ、抽出された処置情報、物性値情報及び属性情報を送信する（ステップＳ１８１３）。このように中央装置３にて受信した物性値情報が正常範囲内に含まれるか否かを判断するとともに、物性値情報ごとの基準情報との相対関係に関する情報に基づいて、実行するべき処置に関する処置情報を検査端末装置２で取得することができるので、動物の飼い主に対してより正確な判断を提供することを支援することが可能となる。
【０１０８】
なお、上述の実施の形態１乃至３は実施例を示したものにすぎず、発明の趣旨を逸脱しない範囲内で多種の変形、置換等が可能であり、上述のように分析装置２ａと演算表示装置２ｂとで構成され、両者をデータ送受信可能に接続する形態に限定されるものではなく、一体型であっても良い。検査端末装置２の分析装置２ａとしては、血球計数装置、生化学分析装置、尿分析装置、免疫分析装置等、計測値を測定して解析することが可能な各種分析機器に容易に適用することができることは言うまでもない。
【０１０９】
また、単一の分析装置が接続されることに限定されるものではなく、例えば分析装置として、血球計数装置に加えて、生化学検査を行うための生化学分析装置が接続されていても良い。
【０１１０】
生化学分析装置が接続されている場合、疾患情報としてさらに詳細な情報を提供することができる。例えばＴＰ（総蛋白量）が小さいこと、Ａｌｂ（アルブミン量）が小さいこと、Ｇｌｏｂ（総グロブリン量）が正常であることを組み合わせ条件として、対応するメッセージとして「肝不全、糸球体疾患等が疑われます」をテキストデータとして記憶しておく。また、ＴＰ（総蛋白量）が小さいこと、Ａｌｂ（アルブミン量）が小さいこと、Ｇｌｏｂ（総グロブリン量）が小さいことを組み合わせ条件として、対応するメッセージとして「失血、過剰な輸液、腹水・胸水の貯留等が疑われます」をテキストデータとして記憶しておく。このように、生化学検査の結果の組み合わせに応じて、疾患情報を検査端末装置２へ表示することもできる。処置情報についても同様であることは言うまでもない。
【０１１１】
また、上述の実施の形態１乃至３では、結果判断に関する情報は、検査端末装置２側から要求情報を中央装置３へ送信することによって取得しているが、所定のタイミングで検査端末装置２へ自動送信するものであっても良い。また、上述の実施の形態１乃至３では、基準情報は、テキストデータとして中央装置３から検査端末装置２に送信されているが、基準情報と物性値情報とを含む画像データを中央装置３で作成し、検査端末装置２へ送信するようにしてもよい。
【０１１２】
さらに、上述の実施の形態１乃至３では、結果判断に関する情報は、検査端末装置２へ送信し検査端末装置２の表示装置２５で表示しているが、結果判断に関する情報を表示するのは、物性値情報を送信した検査端末装置２に限定されるものではなく、例えば同一の動物病院内に設置されている他のコンピュータが有している表示装置に表示させるものであっても良い。医師の診断を支援するという目的を達することができるからである。この場合、送信先のコンピュータが、物性値情報を送信した検査端末装置２と同一の施設、動物病院等に設置されているか否かを判断し、設置されている場合にのみ結果判断に関する情報を送信する必要があることは言うまでもない。
【図面の簡単な説明】
【０１１３】
【図１】本発明の実施の形態１に係る動物検査情報提供システムの構成を示すブロック図である。
【図２】本発明の実施の形態１に係る動物検査情報提供システムで用いる検査端末装置の分析装置の構成を模式的に示す斜視図である。
【図３】分析装置の制御基板部の構成を示すブロック図である。
【図４】本発明の実施の形態１に係る動物検査情報提供システムで用いる検査端末装置の演算表示装置の構成を示すブロック図である。
【図５】本発明の実施の形態１に係る動物検査情報提供システムで用いる検査端末装置のＣＰＵの処理手順を示すフローチャートである。
【図６】本発明の実施の形態１に係る動物検査情報提供システムで用いる中央装置のＣＰＵの処理手順を示すフローチャートである。
【図７】物性値情報記憶部に記憶されるデータ構造の例示図である。
【図８】確率密度関数の例示図である。
【図９】結果判断に関する情報として表示装置に表示される画面の例示図である。
【図１０】結果判断に関する情報として表示装置に表示される画面の他の例示図である。
【図１１】物性値情報の分布状況を比較する場合の表示装置に表示される画面の例示図である。
【図１２】本発明の実施の形態２に係る動物検査情報提供システムで用いる検査端末装置のＣＰＵの処理手順を示すフローチャートである。
【図１３】本発明の実施の形態２に係る動物検査情報提供システムで用いる中央装置のＣＰＵの処理手順を示すフローチャートである。
【図１４】物性値情報記憶部に記憶されるデータ構造の例示図である。
【図１５】本発明の実施の形態２に係る動物検査情報提供システムで用いる中央装置のＣＰＵの他の処理手順を示すフローチャートである。
【図１６】本発明の実施の形態３に係る動物検査情報提供システムの構成を示すブロック図である。
【図１７】本発明の実施の形態３に係る動物検査情報提供システムで用いる中央装置のＣＰＵの処理手順を示すフローチャートである。
【図１８】本発明の実施の形態３に係る動物検査情報提供システムで用いる中央装置のＣＰＵの他の処理手順を示すフローチャートである。
【符号の説明】
【０１１４】
１  ネットワーク網
２  検査端末装置
２ａ  分析装置（血球計数装置）
２ｂ  演算表示装置
３  中央装置
９  制御基板部
１９  ディスプレイ
２１、３１  ＣＰＵ
２２、３３  ＲＡＭ
２３、３４  記憶装置
２４、３５  入力装置
２５、３６  表示装置
２６  出力装置
２７  通信インタフェース
２８、３９  内部バス
３２  ＲＯＭ
３７  補助記憶装置
３８  通信装置
９０  可搬型記録媒体
１００  コンピュータプログラム
３４１  物性値情報記憶部
３４２  疾患情報記憶部
３４３  処置情報記憶部
【図１】
0005203687.tif 000004
【図２】
0005203687.tif 000005
【図３】
0005203687.tif 000006
【図４】
0005203687.tif 000007
【図５】
0005203687.tif 000008
【図６】
0005203687.tif 000009
【図７】
0005203687.tif 000010
【図８】
0005203687.tif 000011
【図９】
0005203687.tif 000012
【図１０】
0005203687.tif 000013
【図１１】
0005203687.tif 000014
【図１２】
0005203687.tif 000015
【図１３】
0005203687.tif 000016
【図１４】
0005203687.tif 000017
【図１５】
0005203687.tif 000018
【図１６】
0005203687.tif 000019
【図１７】
0005203687.tif 000020
【図１８】
0005203687.tif 000021